(57)【要約】      （修正有）【課題】順番待ちを行う顧客に対して待ち時間を提示し、管理を行う為の順番管理システムを提供する。【解決手段】施設における順番待ちを管理する為の順番管理システム１は、所要時間が紐づけられたサービス内容の登録を行う内容登録手段３と、サービス提供要素の登録を行う要素登録手段５と、顧客から所望のサービス内容について、選択を受け付ける受付手段９と、受付手段で受け付けたサービス内容に紐づけられた所要時間を用いて、顧客へサービスを提供するまでの待ち時間を算出する算出手段８と、を備える。【選択図】図１
2019046091.tif 000002
【特許請求の範囲】
【請求項１】
施設における順番待ちを管理する為の順番管理システムであって、
所要時間が紐づけられたサービス内容の登録を行う内容登録手段と、
サービス提供要素の登録を行う要素登録手段と、
顧客から所望のサービス内容について、選択を受け付ける受付手段と、
前記受付手段で受け付けた前記サービス内容に紐づけられた所要時間を用いて、顧客へサービスを提供するまでの待ち時間を算出する算出手段と、を備えることを特徴とする順番管理システム。
【請求項２】
サービス提供者から所定顧客に関するサービス提供要素の選択を受け付ける選択登録手段を備えることを特徴とする請求項１に記載の順番管理システム。
【請求項３】
前記選択登録手段は、所定顧客に関するサービス内容の設定を受け付けることを特徴とする請求項２に記載の順番管理システム。
【請求項４】
前記受付手段又は選択登録手段で選択されたサービスの提供完了後に、
前記選択登録手段は、当該顧客に対してサービスを提供する為の、新たなサービス内容又はサービス提供要素の少なくとも一方の登録を受け受けることを特徴とする請求項１〜３の何れかに記載の順番管理システム。
【請求項５】
前記算出手段は、１又は複数のサービス内容ごとに、複数の待ち時間の算出を行うことを特徴とする請求項１〜４の何れかに記載の順番管理システム。
【請求項６】
前記サービス提供要素は、属性情報が対応付けられており、
前記受付手段は、選択情報の選択を受け付け、
前記算出手段は、更に、前記選択情報及び属性情報を用いて、待ち時間を算出することを特徴とする請求項１〜５の何れかに記載の順番管理システム。
【請求項７】
前記算出手段は、１又は複数の属性情報ごとに、複数の待ち時間の算出を行うことを特徴とする請求項６に記載の順番管理システム。
【請求項８】
前記サービス内容と、当該サービス内容を提供可能又は提供できないサービス提供要素と、を紐づける紐付手段を備え、
前記算出手段は、当該サービス提供要素に紐づけられたサービス内容を用いて、待ち時間の算出を行うことを特徴とする請求項１〜７の何れかに記載の順番管理システム。
【請求項９】
前記受付手段は、顧客人数の選択を受け付け、
前記サービス提供要素は座席であり、前記算出手段において、前記顧客人数と共に待ち時間を算出する為の収容人数が対応付けられることを特徴とする請求項１〜８の何れかに記載の順番管理システム。
【請求項１０】
前記サービス提供要素はスタッフであり、前記算出手段において待ち時間を算出する為のスタッフの出勤状況を紐づけ可能であることを特徴とする請求項１〜９の何れかに記載の順番管理システム。
【請求項１１】
前記出勤状況は、登録されたシフト情報を用いて設定されることを特徴とする請求項１０に記載の順番管理システム。
【請求項１２】
施設における順番待ちを管理する為の順番管理方法であって、
所要時間が紐づけられたサービス内容の登録を行う内容登録手段と、
サービス提供要素の登録を行う要素登録手段と、
顧客から所望のサービス内容について、選択を受け付ける受付手段と、
前記受付手段で受け付けた前記サービス内容に紐づけられた所要時間を用いて、顧客へサービスを提供するまでの待ち時間を算出する算出手段と、を順番管理サーバの処理部が実行することを特徴とする順番管理方法。
【請求項１３】
施設における順番待ちを管理する為の順番管理プログラムであって、
コンピュータを、所要時間が紐づけられたサービス内容の登録を行う内容登録手段と、
サービス提供要素の登録を行う要素登録手段と、
顧客から所望のサービス内容について、選択を受け付ける受付手段と、
前記受付手段で受け付けた前記サービス内容に紐づけられた所要時間を用いて、顧客へサービスを提供するまでの待ち時間を算出する算出手段と、として機能させることを特徴とする順番管理プログラム。
【発明の詳細な説明】
【技術分野】
【０００１】
本発明は、施設等において、利用者の順番待ちを管理する為の順番管理システムに関する。
【背景技術】
【０００２】
従来から、飲食店、銀行や携帯電話ショップ等の窓口業務を行う店舗、理容所・美容院等の施設において、サービス提供までの顧客の順番待ちを管理する為の技術が提供されている。
【０００３】
例えば、飲食店等において、店舗側が予め予約用紙を用意しておき、順番待ちを行う顧客に代表者の名前と人数を記入させ、顧客の順番管理を行う方法が知られている（特許文献１）。
【０００４】
また、施設における順番待ち可能な待ち項目毎の順番待ちの登録操作を受け付ける第１の入力部と、順番が到来した順番待ち組への対応中に、前記待ち項目の変更操作を受け付ける第２の入力部と、順番が到来した順番待ち組に対する、待ち項目毎の対応時間の情報を記録する記録部と、を備えた順番管理システムに関する技術が知られている（特許文献２）。
【先行技術文献】
【特許文献】
【０００５】
【特許文献１】特開２００４−９４３８０号公報
【特許文献２】特開２０１７−１３４４８９号公報
【発明の概要】
【発明が解決しようとする課題】
【０００６】
従来技術において、順番待ちの受付を行った顧客に対して、待ち時間の目安となる時間を提示することが行われている（特に、特許文献２の段落００４１等）。特許文献２では、順番待ちの待ち時間の算出において、現在の待ち組数に平均的な１組当たりの待ち時間を掛けて算出した値などを用いることが記載されている。
【０００７】
しかしながら、顧客の所望するサービス内容や、顧客へサービスを提供する為のサービス提供要素の数等によっては、実際にサービス提供に係る時間が大きく異なる場合が多々あり、順番待ちを行う顧客に対して、正確性を高めた待ち時間の案内を行うことができなかった。また、受付を行わないまま座席に着席した顧客の管理や、サービス提供を行うスタッフや座席の管理についても、十分に行うことができなかった。
【０００８】
本発明は、上記のような実状に鑑みてなされたものであり、順番待ちを行う顧客に対して待ち時間を提示し、管理を行う為の順番管理システムを提供することを解決すべき課題とする。
【課題を解決するための手段】
【０００９】
上記課題を解決するために、本発明は、施設における順番待ちを管理する為の順番管理システムであって、
所要時間が紐づけられたサービス内容の登録を行う内容登録手段と、
サービス提供要素の登録を行う要素登録手段と、
顧客から所望のサービス内容について、選択を受け付ける受付手段と、
前記受付手段で受け付けた前記サービス内容に紐づけられた所要時間を用いて、顧客へサービスを提供するまでの待ち時間を算出する算出手段と、を備えることを特徴とする。
【００１０】
このような構成とすることで、顧客が所望するサービスごとに所要時間を設定し、待ち時間を算出することができる。これにより、提供中のサービスや順番待ちを行っている顧客が所望するサービス内容等に基づいて、これから受け付ける顧客の待ち時間を、より正確に算出することが可能となる。
【００１１】
本発明の好ましい形態では、サービス提供者から所定顧客に関するサービス提供要素の選択を受け付ける選択登録手段を備えることを特徴とする。
このような構成とすることで、顧客に選択されたサービス内容に対して、サービス提供者からサービス提供要素を対応付け、サービスに関する管理等を行うことができる。
【００１２】
本発明の好ましい形態では、前記選択登録手段は、所定顧客に関するサービス内容の設定を受け付けることを特徴とする。
このような構成とすることで、例えば、受付端末などでサービス内容の選択を行わずに着席した顧客等に対して、サービス内容の対応付け等を行うことができる。それにより、サービス内容の登録を自身で行った顧客と同様に管理し、待ち時間の算出を正しく行うことができる。
【００１３】
本発明の好ましい形態では、前記受付手段又は選択登録手段で選択されたサービスの提供完了後に、
前記選択登録手段は、当該顧客に対してサービスを提供する為の、新たなサービス内容又はサービス提供要素の少なくとも一方の登録を受け受けることを特徴とする。
このような構成とすることで、あるサービス内容の提供後に、新たなサービス内容を続けて提供するような場合等に、登録を効率的に行うことができる。
【００１４】
本発明の好ましい形態では、前記算出手段は、１又は複数のサービス内容ごとに、複数の待ち時間の算出を行うことを特徴とする。
このような構成とすることで、サービス内容の種類等に応じて、待ち時間を算出し、受付端末などで顧客に提示することができる。
【００１５】
本発明の好ましい形態では、前記サービス提供要素は、属性情報が対応付けられており、
前記受付手段は、選択情報の選択を受け付け、
前記算出手段は、更に、前記選択情報及び属性情報を用いて、待ち時間を算出することを特徴とする。
このような構成とすることで、顧客が所望するサービス提供要素の属性を用いて、より詳細な待ち時間の算出を行うことが可能となる。
【００１６】
本発明の好ましい形態では、前記算出手段は、１又は複数の属性情報ごとに、複数の待ち時間の算出を行うことを特徴とする。
このような構成とすることで、サービス提供要素の属性に応じて、待ち時間を算出し、受付端末などで顧客に提示することができる。
【００１７】
本発明の好ましい形態では、前記サービス内容と、当該サービス内容を提供可能又は提供できないサービス提供要素と、を紐づける紐付手段を備え、
前記算出手段は、当該サービス提供要素に紐づけられたサービス内容を用いて、待ち時間の算出を行うことを特徴とする。
このような構成とすることで、サービス提供要素ごとに提供可能なサービス内容が設定され、それに基づいて、より正確な待ち時間の算出を行うことができる。
【００１８】
本発明の好ましい形態では、前記受付手段は、顧客人数の選択を受け付け、
前記サービス提供要素は座席であり、前記算出手段において、前記顧客人数と共に待ち時間を算出する為の収容人数が対応付けられることを特徴とする。
【００１９】
本発明の好ましい形態では、前記サービス提供要素はスタッフであり、前記算出手段において待ち時間を算出する為のスタッフの出勤状況を紐づけ可能であることを特徴とする。
【００２０】
本発明の好ましい形態では、前記出勤状況は、登録されたシフト情報を用いて設定されることを特徴とする。
このような構成とすることで、受け付けたサービス内容に対するサービス提供要素の割り当てや、待ち時間の算出等を効率的に行うことができる。
【００２１】
本発明は、施設における順番待ちを管理する為の順番管理方法であって、
所要時間が紐づけられたサービス内容の登録を行う内容登録手段と、
サービス提供要素の登録を行う要素登録手段と、
顧客から所望のサービス内容について、選択を受け付ける受付手段と、
前記受付手段で受け付けた前記サービス内容に紐づけられた所要時間を用いて、顧客へサービスを提供するまでの待ち時間を算出する算出手段と、を順番管理サーバの処理部が実行することを特徴とする。
【００２２】
本発明は、施設における順番待ちを管理する為の順番管理プログラムであって、
コンピュータを、所要時間が紐づけられたサービス内容の登録を行う内容登録手段と、
サービス提供要素の登録を行う要素登録手段と、
顧客から所望のサービス内容について、選択を受け付ける受付手段と、
前記受付手段で受け付けた前記サービス内容に紐づけられた所要時間を用いて、顧客へサービスを提供するまでの待ち時間を算出する算出手段と、として機能させることを特徴とする。
【発明の効果】
【００２３】
本発明によれば、順番待ちを行う顧客に対して待ち時間を提示し、管理を行う為の順番管理システムを提供することができる。
【図面の簡単な説明】
【００２４】
【図１】本発明の実施形態１に関る順番管理システムの機能ブロック図である。
【図２】本発明の実施形態１に関る順番管理サーバのハードウェア構成図である。
【図３】本発明の実施形態１に関る受付管理テーブルの一例を示す図である。
【図４】本発明の実施形態１に関る印刷される印刷物の一例を示す図である。
【図５】本発明の実施形態１に関る店舗端末の表示部における画面表示例である。
【図６】本発明の実施形態１に関る店舗端末で受付を行う際の処理フローチャートである。
【図７】本発明の実施形態１に関る従業員端末の表示部における画面表示例である。
【図８】本発明の実施形態１に関る従業員端末の表示部における画面表示例である
【図９】本発明の実施形態１に関る従業員端末の表示部における画面表示例である
【図１０】本発明の実施形態１に関る従業員端末で受付を行う際の処理フローチャートである。
【図１１】本発明の実施形態１に関る従業員端末で受付を行う際の処理フローチャートである。
【図１２】本発明の実施形態２に関る店舗端末の表示部における画面表示例である。
【発明を実施するための形態】
【００２５】
＜実施形態１＞
以下、図面を用いて、本発明に関る順番管理システムについて説明する。なお、以下に示す実施形態は本発明の一例であり、本発明を以下の実施形態に限定するものではなく、様々な構成を採用することもできる。
【００２６】
例えば、本実施形態では順番管理システムの構成、動作などについて説明するが、同様の構成の方法、サーバ装置、コンピュータプログラム、記録媒体なども、同様の作用効果を奏することができる。また、プログラムは、記録媒体に記憶させてもよい。この記録媒体を用いれば、例えばコンピュータに前記プログラムをインストールすることができる。ここで、前記プログラムを記憶した記録媒体は、例えばＣＤ−ＲＯＭ等の非一過性の記録媒体であっても良い。
【００２７】
本実施形態では、理容所・美容院において、顧客の順番待ちの管理を行う場合について例示する。なお、本発明は、飲食店、銀行や携帯電話ショップ等の窓口業務を行う店舗、遊園地やゲームセンター等のアミューズメント施設、ショッピングモールやデパート等の商業施設、病院や市役所などの公共施設、等において、顧客の順番待ちを管理する場合に利用することが可能であり、利用される施設やサービスの形態には、特に制限はない。
【００２８】
また、以下において、サービス内容とは、顧客に対して提供するサービスの種類を示すものであり、サービス提供要素とは、顧客に対してサービスを提供する為の要素を示すものである。
【００２９】
例えば、理容所・美容院において、サービス内容とは、「カット」、「シャンプーブロー」、「フロントカット」、「その他」、「カラー（染髪）」、「カット＋カラー」、「カット＋パーマ」、「カット＋エアウェイブ」、「パーマ」、「カットカラー＋パーマ」、「矯正」、「矯正＋カット」、「矯正＋カット＋カラー」等の顧客に対して提供されるサービスの種類を示す。サービス提供要素とは、顧客から注文されたサービスを提供する個々のスタッフを示す。
【００３０】
また、待ち時間とは、店舗に訪れた顧客が、サービスの提供を受けられる予定時間までの目安となる時間である。例えば、待ち時間は、「１２０分」といった形で顧客に向けて提示される。本発明で算出される待ち時間は、必ずしもサービス提供までの残り時間の形でユーザに提示される必要はなく、例えば受付時間等に待ち時間を足し合わせた時間、即ち、サービスの提供を受けられる予定時間の形などで提示されても構わない。また、順番待ちを行う必要がない場合、即ち、待ち時間が「０分」の場合も、本例では「０分」の待ち時間があるものとして扱う。
【００３１】
図１は、本発明の実施形態に関る順番管理システムの概要を示す図である。順番管理システム１は、順番管理サーバ２と、順番管理に関する情報を記憶したデータベースＤＢと、店舗の従業員が（ユーザ）が操作する従業員端末１０（１０Ａ、１０Ｂ）と、店舗に設置され、顧客が操作する店舗端末２０と、顧客に対して順番待ちの受付番号（呼出番号）や待ち時間を印字した印刷物を提供する為のプリンタ３０と、を備えている。順番管理サーバ２、従業員端末１０及び店舗端末２０は、ネットワークＮＷを介して通信可能に構成されている。
【００３２】
図２は、順番管理サーバ２のハードウェア構成を示す図である。順番管理サーバ２は、演算装置（ＣＰＵ２０１）と、主記憶装置（ＲＡＭ２０２）と、ＨＤＤやＳＳＤ、フラッシュメモリなどの補助記憶装置（記録装置２０３）と、外部の装置とネットワークＮＷを介して通信を行うためのインタフェースである通信装置２０４と、入力装置２０５と、出力装置２０６と、を備えている。また、記録装置２０３は、オペレーティングシステム２０７と、オペレーティングシステム２０７と協調してその機能を発揮する順番管理プログラム２０８等が記録されている。
【００３３】
従業員端末１０は、ＣＰＵ等の演算装置、ＲＡＭ等の主記憶装置、ＨＤＤやＳＳＤ、フラッシュメモリ等の補助記憶装置、ネットワークＮＷへの接続手段を含む各種の入出力装置等を備えた、汎用的なコンピュータ装置を用いることができる。本実施形態では、入力部１１（１１Ａ，１１Ｂ）としてタッチパネル備えたタブレット端末を用いる場合について例示する。従業員端末１０は、従業員端末として機能する為の専用アプリケーションやウェブページを利用する為のウェブブラウザアプリケーションを記憶している。
【００３４】
店舗端末２０は、ＣＰＵ等の演算装置、ＲＡＭ等の主記憶装置、ＨＤＤやＳＳＤ、フラッシュメモリ等の補助記憶装置、ネットワークＮＷへの接続手段を含む各種の入出力装置等を備えた、汎用的なコンピュータ装置を用いることができる。本実施形態では、入力部２１としてタッチパネル備えたタブレット端末を用いる場合について例示する。店舗端末２０は、店舗端末として機能する為の専用アプリケーションやウェブページを利用する為のウェブブラウザアプリケーションを記憶している。
【００３５】
店舗端末２０は、施設の入口付近などに設置され、顧客がサービスを受ける為に、受付や順番待ちを行う為の端末装置である。プリンタ３０は、店舗端末２０と有線又は無線によって接続されており、店舗端末２０からの印刷要求に基づいて、発券部３１での紙面への印刷を行う。
【００３６】
従業員端末１０は、サービスを提供する担当スタッフの設定や、顧客の受付管理等を行う為に、従業員が使用する端末装置である。ここで、１台の従業員端末１０が店舗端末２０を兼ねるように構成しても、本発明を実施することが可能である。その場合、例えば、従業員端末並びに店舗端末として機能する為の専用アプリケーションやウェブページを利用する為のウェブブラウザアプリケーションを記憶した構成とすればよい。
【００３７】
従業員端末１０は、必ずしも順番管理サーバ２と接続された複数台のコンピュータである必要はなく、１台であってもよい。また、店舗端末２０は、必ずしも１台である必要はなく、ネットワークＮＷを介して順番管理サーバ２と接続された複数のコンピュータから構成されてもよい。
【００３８】
順番管理サーバ２は、内容登録手段３と、所要時間登録手段４と、要素登録手段５と、紐付手段６と、選択登録手段７と、算出手段８と、受付手段９と、を備えている。ここで、順番管理サーバ２を構成するコンピュータは、必ずしも１台である必要はなく、ネットワークＮＷ上に分散する複数のコンピュータから構成されてもよい。また、順番管理サーバ２に備えられた各手段を実行する為のプログラムの一部又は全部が、従業員端末１０や店舗端末２０に記憶され、従業員端末１０や店舗端末２０において実行されるような構成であってもよい。
【００３９】
データベースＤＢは、順番管理システム１で利用される順番管理に関する情報を記憶している。本実施形態では、データベースＤＢは、受付管理テーブルを記憶している。データベースＤＢに記憶された情報の一部又は全部が、従業員端末１０や店舗端末２０に記憶され、利用されるような構成としてもよい。図３は、本実施形態における受付管理テーブルの一例を示す図である。
【００４０】
この受付管理テーブルの１レコード（以下、受付情報とする）には、例えば受付を行った日時を示す受付日時、「案内済」や「未呼出」、「不在」、「呼出中」、「提供中」など受付した顧客に対するサービスの提供状況を示す案内状況、順番待ちや呼出等、店舗内での受付管理に利用される受付番号、受付したサービス内容を示す内容情報、サービス提供要素について希望を受付たり、アンケートとして顧客に回答させるための選択情報、サービス開始日時、終了日時、等を含んでいる。
【００４１】
また、本実施形態では、データベースＤＢは、店舗のオーナー等、店舗の管理者に関する情報を有するユーザ管理テーブルと、ユーザの管理する店舗に関する情報を有する店舗管理テーブルと、各店舗でのサービス内容の種類と所要時間、等に関する情報を有するサービス内容テーブルと、サービス提供要素に関する情報を有する提供要素テーブルと、を有している。
【００４２】
サービス内容テーブルは、例えば、サービス内容と、各サービスの所要時間と、を含んでいる。例えば、サービス内容として、「カット」、「シャンプーブロー」、「フロントカット」、「その他」、「カラー」、「カット＋カラー」、「カット＋パーマ」、「カット＋エアウェイブ」、「パーマ」、「カットカラー＋パーマ」、「矯正」、「カット＋矯正」、「矯正＋カット＋カラー」、等が登録され、所要時間として、「カット」が「６０分」、「カラー」が「６０分」、「カットカラー＋パーマ」が「１５０分」等が登録される。これらのサービス内容、所要時間は、店舗のオーナー等によって設定される。
【００４３】
提供要素テーブルは、例えば、サービスの提供を行う為の提供要素と、各提供要素が提供可能なサービス内容と、サービス提供要素の属性（属性情報）と、を含んでいる。例えば、店舗の店舗ＩＤと対応付けられて、当該店舗に在籍するスタッフがサービス提供要素として登録される。各サービス提供要素には、提供可能なサービス内容が対応付けられ、受け付けたサービス内容に応じて、待ち時間の算出を行うように構成することができる。属性（属性情報）とは、本例の場合、例えば、スタッフの性別等である。
【００４４】
更に、それぞれのサービス提供要素に対して、出勤・欠勤等の出勤状況が対応付けられることで、待ち時間の算出やサービス内容に対するサービス提供要素の割り当てを効率的に行うことができる。スタッフが「取込中」の場合等、サービス提供要素がサービスを提供できない状態にある場合に、ステータスを設定可能とし、待ち時間の算出やサービス内容に対するサービス提供要素の割り当てを行わないように構成することできる。従業員端末１０、店舗端末２０又は順番管理サーバ２は、スタッフのシフト情報を読込み、自動でサービス提供要素のステータスを設定可能な構成を備えても構わない。
【００４５】
また、例えば、店舗管理テーブル等において、店舗にある座席数や受付カウンターの数等、同時にサービス提供可能な顧客単位数に制限がある場合、その数値や、その数の場所情報を含んでいてもよい。場所情報とは、例えば、窓口業務であれば「１番窓口」「２番窓口」等、美容院であれば「１番座席」「２番座席」など、施術を行う座席名等を含んだ情報である。なお、この数や場所情報を、従業員端末１０や店舗端末２０から変更可能であってもよい。
【００４６】
内容登録手段３は、従業員端末１０の入力部１１等を介して、サービス内容の登録を受け付ける。例えば、サービス内容テーブルに記憶される「カット」、「シャンプーブロー」、「フロントカット」、「その他」、「カラー」、「カット＋カラー」、「カット＋パーマ」、「カット＋エアウェイブ」、「パーマ」、「カットカラー＋パーマ」、「矯正」、「カット＋矯正」、「矯正＋カット＋カラー」、等のサービスの内容を登録する。また、「カット＋カラー」のように、複数のサービス内容の組合せでサービス内容を表現できる場合、組み合わせで表現できるサービス内容は登録せず、複数のサービス内容（本例では、所要時間「６０分」の「カット」及び所要時間「６０分」の「カラー」）を顧客に選択させることで注文を受け付けるようにして構わない。
【００４７】
所要時間登録手段４は、サービスを提供するのに要する所要時間について、サービス内容と対応付けて登録する。所要時間については、従業員端末１０の入力部１１等を介して登録されてもよいし、過去に提供したサービス（例えば、受付管理テーブルにおける「案内済」のレコード）の提供時間に応じて、自動で登録、変更されるようにしてもよい。
【００４８】
要素登録手段５は、従業員端末１０の入力部１１等を介して、サービスを提供するサービス提供要素の登録を受け付ける。本例では、当該店舗に在籍するスタッフをサービス提供要素として登録する。また、紐付手段６を介して、サービス提供要素ごとに、提供可能なサービス内容又は提供できないサービス内容を対応付けて登録する。例えば、店長であるスタッフは、すべてのサービス内容について提供可能であるが、経験の浅いスタッフは、「カット」、「シャンプーブロー」、「フロントカット」、「その他」、「カラー」、「カット＋カラー」、「カット＋パーマ」、「カット＋エアウェイブ」、「パーマ」、「カットカラー＋パーマ」について提供可能（「矯正」、「カット＋矯正」、「矯正＋カット＋カラー」については提供できない）等、サービス提供要素による提供可能なサービス内容の種別を加味して登録することが可能となる。
【００４９】
受付手段９は、店舗端末２０の入力部２１を介して、来店した顧客が所望するサービス内容について、登録を受け付ける。また、受付手段９において、サービス内容と共に、１又は複数の選択情報についても受け付けるようにしてよい。例えば、第１の選択情報として、「初来店」、「２回目以降」を受け付け、第２の選択情報として、「指名なし」、「指名あり（サービス提供要素の個別選択）」、「女性スタッフ指名（サービス提供要素の属性による指名）」を受け付ける。飲食店の例では、例えば、サービスを提供する場所や席の種別（カウンター、テーブル等）等が選択情報として、顧客に選択される。なお、選択情報は、代表者名や電話番号など、入力部２１を介して入力された文字列等を含んでいてもよい。
【００５０】
選択情報は、アンケートや顧客情報の収集等、店舗での顧客に関する情報収集の目的として利用される構成であっても構わないし、待ち時間の算出に利用される構成であってもよい。例えば、「女性スタッフ指名」の場合、サービス提供要素のうち、属性が女性のサービス提供要素の空き状況に基づいて、待ち時間を算出することができる。
【００５１】
受付手段９によって受付が行われると、受付管理テーブルに、新たな受付情報が追加される。顧客に対しては、受付が行われると、プリンタ３０の発券部３１から待ち時間等に関する情報が記載された印刷物の発券が行われる。例えば、当該選択情報等に基づいて、受付前に店舗端末２０の表示部に表示していた待ち時間と、実際の待ち時間に変更が生じた場合、新たに算出された待ち時間を、店舗端末２０の表示部や印刷物において通知するようにしてよい。
【００５２】
図４は、印刷される印刷物の一例を示す図である。印刷物Ｔには、例えば、受付時間やサービス提供の予定時間及び／又は待ち時間、受付番号等の情報が印字され、顧客に提示される。
【００５３】
算出手段８は、登録された受付情報に基づいて、サービス内容に対応付けられた所要時間を用いて待ち時間を算出し、店舗端末２０に対して算出した待ち時間や待ち人数等の情報を送信する。受け取った待ち時間は、店舗端末２０の表示部で表示されたり、プリンタ３０の発券部３１で発見される印刷物Ｔに印字される。例えば、待ち時間の算出には、更に、サービス提供中の顧客数（本例における「提供中」の顧客数）や、サービス提供待ちの顧客数（本例における「未呼出」の顧客数）、顧客が所望するサービス内容を提供可能な提供要素数、同時にサービス提供可能な上限数、サービス提供要素の属性（属性情報）、ステータス、スタッフ（サービス提供要素）の出勤状況、等の１以上を用いて、算出して構わない。
【００５４】
選択登録手段７は、従業員端末１０の入力部１１を介して、サービス提供者から所定顧客に関するサービス提供要素の設定を受け付ける。例えば、受付手段９を介して、サービス内容を設定し、受付を行った顧客に対して、対応するスタッフ（サービス提供要素）を店舗側で設定する場合等が含まれる。また、紐付手段６を介して設定した、サービス提供要素が提供可能なサービス内容又は提供できないサービス内容に基づいて、従業員端末１０でのサービス提供要素の表示方法や表示形式を制御するように構成してよい。サービス提供要素の設定を行う際に、サービス内容に対して振り付けることができないサービス提供要素を把握することができる。
【００５５】
また、選択登録手段７を用いて、ある顧客に対して、サービス内容について設定してもよい。例えば、顧客が受付手段９でサービス内容を登録する前に、サービスを提供する座席に着席していた場合や、顧客が誤って設定したサービス内容を変更する場合等、が含まれる。
【００５６】
サービスの提供者（本例におけるサービス提供要素、即ち、店舗スタッフ）は、顧客に対するサービスの提供の開始時や終了時には、従業員端末１０の入力部１１を介して、サービス提供の開始や終了を登録する。登録された開始時や終了時は、受付管理テーブルの対応するレコードに記録される（本例における「開始日時」、「終了日時」）。
【００５７】
選択登録手段７は、受付手段９又は選択登録手段７で選択されたサービス内容に基づくサービスの提供完了後に、当該顧客に対して更なるサービスを提供する為の、新たなサービス内容又はサービス提供要素の少なくとも一方について、登録を受け受ける。登録された内容は、受付手段９を介して、新たな受付情報として、受付管理テーブルに登録される。
【００５８】
図５〜６を用いて、本実施形態における店舗端末２０での受付の流れについて説明する。図５は店舗端末２０の表示部における画面表示例である。図６は、店舗端末２０で受付を行う際の処理フローチャートである。
【００５９】
図６のステップＳ１において、店舗端末２０を介して、顧客によるサービス内容の選択を受け付ける。図５（ａ）に示すように、店舗端末２０の表示部には、待ち時間ＴＷ及び選択可能なサービス内容ＳＶが表示されており、顧客は入力部２１を介して所望のサービス内容ＳＶを選択する。また、本例では、待ち時間ＴＷを、複数のサービス内容ごとに表示させている。待ち時間ＴＷは、１又は複数のサービス内容ごとに表示させて構わない。更に、順番待ちを行っている待ち顧客Ｗ（本例における「未呼出」の顧客）や、順番になったが不在の不在顧客Ａ（本例における「不在」の顧客）を、一覧表示している。
【００６０】
ステップＳ１においてサービス内容が選択されたならば、ステップＳ２に進み、選択情報Ｃの受付を行う。図５（ｂ）は第１の選択情報Ｃ１を、図５（ｃ）は第２の選択情報Ｃ２を受け付ける際の画面表示例である。
【００６１】
図５（ｄ）は、入力したサービス内容や選択情報を確認する為の確認画面の画面表示例である。ステップＳ２において選択情報が入力されたならば、ステップＳ３に進んで確認画面を表示させ、顧客による登録ボタン（図示例における「発券する」）の押下を受け付ける（ステップＳ４）。
【００６２】
図５（ｅ）は、受付完了画面の画面表示例である。ステップＳ４において選択情報が入力されたならば、受付番号を割り当て、受付完了画面を表示させる。また、受付情報を受付管理テーブルに追加し（ステップＳ５）、プリンタ３０の発券部３１より発券を行う（ステップＳ６）。
【００６３】
図７〜１１を用いて、本実施形態における従業員端末での受付の流れについて説明する。図７〜９は、従業員端末１０の表示部における画面表示例である。図１０は、従業員端末１０で受付を行う際の処理フローチャートである。
【００６４】
図１０のステップＳ１１において、受付手段９を介して顧客により登録され、サービス提供要素の振り分けが行われていないサービス内容がある場合、選択登録手段７は、振分け可能なスタッフＳＴ（サービス提供要素）を抽出する（ステップＳ１２）。
【００６５】
図７（ａ）に示すように、従業員端末１０の表示部には、受付情報Ｅ（選択されたサービス要素）及び振分け可能なスタッフＳＴ（サービス提供要素）が表示されている。図示例では、振分け可能なスタッフＳＴを選択可能に表示し、サービス提供中のスタッフや振分けできないスタッフ（「欠勤」しているスタッフ、ステータスが「取込中」のスタッフ、当該サービス内容を提供できないスタッフ、選択情報としてスタッフの指名や属性の指定が行われて選択できないスタッフ、等）は、選択できないように表示している。また、本例では、サービスを提供する場所情報Ｐ（図示例におけるブース）を選択可能に表示している。
【００６６】
ステップＳ１３において、サービス提供要素を振り分けていないサービス内容に対して、入力部１１を介して当該サービス内容に対して振り分けるスタッフＳＴを選択し、選択登録手段７を介して登録を行う。本実施形態では、振分けができないサービス提供要素については、図示例のように、色を変更する等して選択可能なサービス提供要素と識別可能に表示し、加えて選択できないように構成している。サービス提供要素が割り当てられたならば、受付管理テーブルの受付情報が更新される。また、図７（ｂ）に示すように、順番待ちリストに登録した内容が表示される。
【００６７】
サービス内容を選択していない顧客がいる場合（ステップＳ１４でＹｅｓ（Ｙ））、ステップＳ１５において、サービス内容及びサービス提供要素を登録する。図８（ａ）に示すように、従業員端末１０の表示部には、受付情報Ｅ（選択されたサービス要素）及び振分け可能なスタッフＳＴ（サービス提供要素）を表示する領域が設けられている。従業員は、入力部１１で顧客が所望するサービス内容を選択（図示例における「部門選択」）し、選択登録手段７を介してその登録を行う。図８（ｂ）は、サービス内容として「カット」を選択した場合の画面表示例である。
【００６８】
更に、図９（ａ）に示すように、先ほど選択したサービス内容に対して、振り分けるスタッフＳＴ（サービス提供要素）を選択し、選択登録手段７を介して登録する。サービス提供要素が割り当てられたならば、受付番号が割り当てられ、受付管理テーブルに受付情報が登録される。また、図９（ｂ）に示すように、接客中リストに登録した内容が表示される。
【００６９】
次いで、図１１は、顧客へのサービス提供時における従業員端末１０での処理フローチャートである。ステップＳ２１において、従業員端末１０の入力部１１を介して受付情報のステータスを「呼出中」に変更し、受付番号などを用いて順番が来た顧客を呼び出し、ステップＳ２２に進む。
【００７０】
顧客が不在の場合（ステップＳ２２でＹｅｓ（Ｙ））、ステップＳ２４において、受付情報のステータスを「不在」に変更し、新たな顧客の呼出を行う。顧客が現れた場合（ステップＳ２２でＮｏ（Ｎ））、ステップＳ２３において、受付情報のステータスを「提供中」に変更し、サービスを提供する。サービスの提供が完了したならば、受付情報のステータスを「提供済」に変更する。
【００７１】
更に、別のサービス内容について顧客がサービスの提供を所望する場合等には、新たなサービスを登録する（ステップＳ２６）。新たなサービスを登録する場合（ステップＳ２６でＹｅｓ（Ｙ））、ステップＳ２７に進む。
【００７２】
ステップＳ２７では、従業員は、入力部１１で顧客が所望するサービス内容を選択し、選択登録手段７を介してその登録を行う。更に、先ほど選択したサービス内容に対して、振り分けるスタッフＳＴ（サービス提供要素）を選択し、選択登録手段７を介して登録する。新たなサービス内容に、サービス提供要素が割り当てられたならば、受付管理テーブルに受付情報が登録される。新たなサービスを登録しない場合（ステップＳ２６でＮｏ（Ｎ））、処理を終了し、新たな顧客の呼出等を行う。
【００７３】
＜実施形態２＞
以下、図面を用いて、本発明の実施形態２に関る順番管理システム１について説明する。なお、実施形態１と同様の構成については、同様の符号を付してその説明を省略する。
【００７４】
本実施形態では、飲食店において、顧客の順番待ちの管理を行う場合のシステム構成について説明する。本実施形態において、例えば、サービス内容とは、「個別注文」、「コース」、「食べ放題」、「飲み放題」、「コース＋飲み放題」、「食べ放題＋飲み放題」等の顧客に対して提供されるサービスの種類を示す。また、所要時間登録手段４を介して、所要時間として、「個別注文」が「１２０分」、「コース」が「１２０分」、「食べ放題」が「６０分」、「飲み放題」が「６０分」、「コース＋飲み放題」が「１２０分」、「食べ放題＋飲み放題」が「６０分」等が登録される。
【００７５】
サービス提供要素とは、顧客から注文されたサービスを提供する為の座席を示す。内容登録手段３を介してサービス内容が登録され、所要時間登録手段４を介して、各サービスを提供するのに要する所要時間について登録される。なお、座席（サービス提供要素）には、属性として、座席の種別である「禁煙席＋カウンター席」、「禁煙席＋テーブル席」、「喫煙席＋テーブル席」等が対応付けられている。また、座席の収容人数を更に対応付けておき、待ち時間の算出等を行ってもよい。
【００７６】
顧客は、店舗端末２０で所望のサービス内容を選択し、受付手段９を介して、受付情報を登録する。また、受付手段９において、サービス内容に加えて、選択情報についても受け付ける。例えば、選択情報として、「禁煙席」、「喫煙席」の選択を受け付ける。
【００７７】
登録された受付管理テーブルの受付情報には、例えば、受付を行った日時を示す受付日時、「案内済」や「未呼出」、「不在」などの案内状況、受付番号、内容情報、選択情報、等を含んでいる。
【００７８】
算出手段８は、登録された受付情報に基づいて、サービス内容に対応付けられた所要時間を用いて待ち時間を算出し、店舗端末２０に対して算出した待ち時間や待ちグループ数等の情報を送信する。受け取った待ち時間は、店舗端末２０の表示部で表示されたり、プリンタ３０の発券部３１で発見される印刷物Ｔに印字される。
【００７９】
待ち時間の算出には、更に、サービス提供中の顧客単位数（グループ数）や、サービス提供待ちの顧単位数（グループ数）、顧客が所望するサービス内容を提供可能な提供要素数、サービス提供要素の属性等の１以上を用いて、算出して構わない。
【００８０】
待ち時間は、サービス提供要素の属性ごとに算出され、提供されてもよい。図１２は、店舗端末２０の表示部における画面表示例である。本実施形態では、サービス提供要素の属性に対応付けて待ち時間を提示し、顧客へ通知している。
【００８１】
図示例のように、例えば、「禁煙席＋カウンター席」、「禁煙席＋テーブル席」、「喫煙席＋テーブル席」の３種類の属性の（座席の種別）それぞれについて、算出手段８を用いて待ち時間を算出し、店舗端末２０の表示部での表示等に利用してよい。待ち時間ＴＷについては、それぞれの属性のサービス提供要素ごとに、現在顧客に対して提供中のサービス内容に対応付けられた所要時間等を用いて算出される。
【００８２】
顧客は、店舗端末２０を用いて受付を行う際に、図１２に示すような画面で、サービス提供要素と、その属性ごとの待ち時間を確認し、選択情報Ｃとして、所望の属性の選択を行う。そして、選択情報の選択を行った後に、サービス内容である「個別注文」、「コース」、「食べ放題」、「飲み放題」、「コース＋飲み放題」、「食べ放題＋飲み放題」を選択する。選択された情報に基づいて、受付情報が登録される。
【００８３】
なお、受付手段９は、店舗端末２０に替えて又は加えて、順番待ちの予約を所望する顧客の顧客端末からの入力に基づいて、受付を行うように構成しても構わない。顧客端末は、ネットワークＮＷを介して接続されたパソコンやスマートフォン等の汎用的な情報処理装置である。顧客は、顧客端末にインストールされた専用のアプリケーションやウェブブラウザアプリケーションを介して、サービス内容やサービス提供要素、選択情報、等の受付の為の情報を入力することで、受付を行うことができる。ここで、算出手段８で算出された１又は複数の待ち時間や待ち人数等の情報が、順番待ちの予約を所望する顧客の顧客端末にインストールされたアプリケーションを介して、表示されるように構成してもよい。
【００８４】
選択登録手段７は、従業員端末１０の入力部１１を介して、サービス提供者から所定顧客（受付情報）に関するサービス提供要素の設定を受け付ける。受付手段９を介して、サービス内容を設定し、受付を行った顧客に対して、対応する座席（サービス提供要素）を店舗側で設定し、対応付ける場合等が含まれる。
【００８５】
サービス提供要素は、場所情報に対応付けられていてもよい。場所情報とは、例えば、「１番カウンター」、「２番カウンター」、「１番テーブル」、「２番テーブル」など、サービスの提供を行う座席名等を含んだ情報である。
【００８６】
サービスの提供者（店舗スタッフ）は、顧客に対するサービスの提供の開始時や終了時に、従業員端末１０の入力部１１を介して、サービス提供の開始や終了を登録する。また、サービス終了時については、サービスの提供開始時からサービス内容に対応付けられた所要時間に基づいて、サービスの提供者側に通知を行ったり、受付情報の終了時を自動で更新するようにしてよい。登録された開始時や終了時は、受付管理テーブルの対応するレコードに記録される。
【００８７】
また、選択登録手段７は、受付手段９又は選択登録手段７で選択されたサービス内容に基づくサービスの提供完了後に、当該顧客に対して更なるサービスを提供する為の、新たなサービス内容又はサービス提供要素の少なくとも一方について、登録を受け受ける。登録された内容は、受付手段９を介して、新たに受付管理テーブルに登録される。新たなサービス内容を登録する例としては、例えば、サービス内容「食べ放題＋飲み放題」の所要時間終了後に、追加のサービス内容として「個別注文」を希望する場合等である。
【００８８】
また、選択登録手段７を用いて、サービスの提供者（店舗スタッフ）が、ある顧客単位に対してサービス内容を設定してもよい。例えば、顧客が受付手段９でサービス内容を登録する前に、座席（サービス提供要素）に着席していた場合や、顧客が設定したサービス内容を変更する場合等、が含まれる。
【００８９】
本発明によれば、顧客が所望するサービスごとに所要時間を設定し、を待ち時間を算出することができ、顧客の待ち時間をより正確に算出することが可能となる。
【００９０】
また、サービス提供者が、顧客に選択されたサービス内容に対して、サービス提供要素を対応付けたり、顧客に対してサービス内容の対応付け等を行うことができ、顧客（受付情報）を効率的に管理し、待ち時間の算出を正しく行うことができる。
【００９１】
また、サービス内容の種類やサービス提供要素の属性等に応じて、算出した待ち時間を受付端末などで提示することができる。
【００９２】
また、サービス提供要素ごとに提供可能なサービス内容を設定することができ、受け付けたサービス内容に対するサービス提供要素の割り当てや、待ち時間の算出等を効率的に行うことができる。
【符号の説明】
【００９３】
１  順番管理システム
２  順番管理サーバ
２０１  ＣＰＵ
２０２  ＲＡＭ
２０３  記録装置
２０４  通信装置
２０５  入力装置
２０６  出力装置
２０７  ＯＳ
２０８  順番管理プログラム
３  内容登録手段
４  所要時間登録手段
５  要素登録手段
６  紐付手段
７  選択登録手段
８  算出手段
９  受付手段
１０、１０Ａ、１０Ｂ  従業員端末
１１、１１Ａ、１１Ｂ  入力部
２０  店舗端末
２１  入力部
３０  プリンタ
３１  発券部
ＤＢ  データベース
ＮＷ  ネットワーク
ＴＷ  待ち時間
ＳＶ  サービス内容
Ｗ  待ち顧客
Ａ  不在顧客
Ｃ、Ｃ１、Ｃ２  選択情報
ＳＴ  スタッフ
Ｅ  受付情報
Ｐ  場所情報
【図１】
2019046091.tif 000003
【図２】
2019046091.tif 000004
【図３】
2019046091.tif 000005
【図４】
2019046091.tif 000006
【図５】
2019046091.tif 000007
【図６】
2019046091.tif 000008
【図７】
2019046091.tif 000009
【図８】
2019046091.tif 000010
【図９】
2019046091.tif 000011
【図１０】
2019046091.tif 000012
【図１１】
2019046091.tif 000013
【図１２】
2019046091.tif 000014
【手続補正書】
【提出日】平成30年2月6日(2018.2.6)
【手続補正１】
【補正対象書類名】特許請求の範囲
【補正対象項目名】全文
【補正方法】変更
【補正の内容】
【特許請求の範囲】
【請求項１】
施設における順番待ちを管理する為の順番管理システムであって、
所要時間が紐づけられたサービス内容の登録を行う内容登録手段と、
サービス提供要素の登録を行う要素登録手段と、
前記サービス内容及び当該サービス内容を提供可能又は提供できないサービス提供要素を紐づける紐付手段と、
顧客から所望のサービス内容について、選択を受け付ける受付手段と、
前記受付手段で受け付けた前記サービス内容に紐づけられた所要時間を用いて、顧客へサービスを提供するまでの待ち時間を算出する算出手段と、
サービス提供者から所定顧客に関するサービス内容の設定及びサービス提供要素の選択を受け付ける選択登録手段と、を備え、
振り分け可能なサービス提供要素の一覧を表示してサービス内容及びサービス提供要素の登録を受け付ける画面において、前記選択登録手段を介して新たに選択されたサービス内容に基づいて、一覧表示されたサービス提供要素を、サービス内容が未選択の状態で表示されるサービス提供要素から、サービス内容選択後のサービス提供要素に更新することを特徴とする順番管理システム。
【請求項２】
前記受付手段又は選択登録手段で選択されたサービスの提供完了後に、
前記選択登録手段は、当該顧客に対してサービスを提供する為の、新たなサービス内容又はサービス提供要素の少なくとも一方の登録を受け受けることを特徴とする請求項１に記載の順番管理システム。
【請求項３】
前記算出手段は、１又は複数のサービス内容ごとに、複数の待ち時間の算出を行うことを特徴とする請求項１又は請求項２に記載の順番管理システム。
【請求項４】
前記サービス提供要素は、属性情報が対応付けられており、
前記受付手段は、選択情報の選択を受け付け、
前記算出手段は、更に、前記選択情報及び属性情報を用いて、待ち時間を算出することを特徴とする請求項１〜３の何れかに記載の順番管理システム。
【請求項５】
前記算出手段は、１又は複数の属性情報ごとに、複数の待ち時間の算出を行うことを特徴とする請求項４に記載の順番管理システム。
【請求項６】
前記算出手段は、当該サービス提供要素に紐づけられたサービス内容を用いて、待ち時間の算出を行うことを特徴とする請求項１〜５の何れかに記載の順番管理システム。
【請求項７】
前記受付手段は、顧客人数の選択を受け付け、
前記サービス提供要素は座席であり、前記算出手段において、前記顧客人数と共に待ち時間を算出する為の収容人数が対応付けられることを特徴とする請求項１〜６の何れかに記載の順番管理システム。
【請求項８】
前記サービス提供要素はスタッフであり、前記算出手段において待ち時間を算出する為のスタッフの出勤状況を紐づけ可能であることを特徴とする請求項１〜７の何れかに記載の順番管理システム。
【請求項９】
前記出勤状況は、登録されたシフト情報を用いて設定されることを特徴とする請求項８に記載の順番管理システム。
【請求項１０】
施設における順番待ちを管理する為の順番管理方法であって、
所要時間が紐づけられたサービス内容の登録を行う内容登録手段と、
サービス提供要素の登録を行う要素登録手段と、
前記サービス内容及び当該サービス内容を提供可能又は提供できないサービス提供要素を紐づける紐付手段と、
顧客から所望のサービス内容について、選択を受け付ける受付手段と、
前記受付手段で受け付けた前記サービス内容に紐づけられた所要時間を用いて、顧客へサービスを提供するまでの待ち時間を算出する算出手段と、
サービス提供者から所定顧客に関するサービス内容の設定及びサービス提供要素の選択を受け付ける選択登録手段と、を順番管理サーバの処理部が実行し、
振り分け可能なサービス提供要素の一覧を表示してサービス内容及びサービス提供要素の登録を受け付ける画面において、前記選択登録手段を介して新たに選択されたサービス内容に基づいて、一覧表示されたサービス提供要素を、サービス内容が未選択の状態で表示されるサービス提供要素から、サービス内容選択後のサービス提供要素に更新することを特徴とする順番管理方法。
【請求項１１】
施設における順番待ちを管理する為の順番管理プログラムであって、
コンピュータを、所要時間が紐づけられたサービス内容の登録を行う内容登録手段と、
サービス提供要素の登録を行う要素登録手段と、
前記サービス内容及び当該サービス内容を提供可能又は提供できないサービス提供要素を紐づける紐付手段と、
顧客から所望のサービス内容について、選択を受け付ける受付手段と、
前記受付手段で受け付けた前記サービス内容に紐づけられた所要時間を用いて、顧客へサービスを提供するまでの待ち時間を算出する算出手段と、
サービス提供者から所定顧客に関するサービス内容の設定及びサービス提供要素の選択を受け付ける選択登録手段と、として機能させ、
振り分け可能なサービス提供要素の一覧を表示してサービス内容及びサービス提供要素の登録を受け付ける画面において、前記選択登録手段を介して新たに選択されたサービス内容に基づいて、一覧表示されたサービス提供要素を、サービス内容が未選択の状態で表示されるサービス提供要素から、サービス内容選択後のサービス提供要素に更新することを特徴とする順番管理プログラム。
【手続補正２】
【補正対象書類名】明細書
【補正対象項目名】０００９
【補正方法】変更
【補正の内容】
【０００９】
上記課題を解決するために、本発明は、施設における順番待ちを管理する為の順番管理システムであって、
所要時間が紐づけられたサービス内容の登録を行う内容登録手段と、
サービス提供要素の登録を行う要素登録手段と、
前記サービス内容及び当該サービス内容を提供可能又は提供できないサービス提供要素を紐づける紐付手段と、
顧客から所望のサービス内容について、選択を受け付ける受付手段と、
前記受付手段で受け付けた前記サービス内容に紐づけられた所要時間を用いて、顧客へサービスを提供するまでの待ち時間を算出する算出手段と、
サービス提供者から所定顧客に関するサービス内容の設定及びサービス提供要素の選択を受け付ける選択登録手段と、を備え、
振り分け可能なサービス提供要素の一覧を表示してサービス内容及びサービス提供要素の登録を受け付ける画面において、前記選択登録手段を介して新たに選択されたサービス内容に基づいて、一覧表示されたサービス提供要素を、サービス内容が未選択の状態で表示されるサービス提供要素から、サービス内容選択後のサービス提供要素に更新することを特徴とする。
【手続補正３】
【補正対象書類名】明細書
【補正対象項目名】００２１
【補正方法】変更
【補正の内容】
【００２１】
本発明は、施設における順番待ちを管理する為の順番管理方法であって、
所要時間が紐づけられたサービス内容の登録を行う内容登録手段と、
サービス提供要素の登録を行う要素登録手段と、
前記サービス内容及び当該サービス内容を提供可能又は提供できないサービス提供要素を紐づける紐付手段と、
顧客から所望のサービス内容について、選択を受け付ける受付手段と、
前記受付手段で受け付けた前記サービス内容に紐づけられた所要時間を用いて、顧客へサービスを提供するまでの待ち時間を算出する算出手段と、
サービス提供者から所定顧客に関するサービス内容の設定及びサービス提供要素の選択を受け付ける選択登録手段と、を順番管理サーバの処理部が実行し、
振り分け可能なサービス提供要素の一覧を表示してサービス内容及びサービス提供要素の登録を受け付ける画面において、前記選択登録手段を介して新たに選択されたサービス内容に基づいて、一覧表示されたサービス提供要素を、サービス内容が未選択の状態で表示されるサービス提供要素から、サービス内容選択後のサービス提供要素に更新することを特徴とする。
【手続補正４】
【補正対象書類名】明細書
【補正対象項目名】００２２
【補正方法】変更
【補正の内容】
【００２２】
本発明は、施設における順番待ちを管理する為の順番管理プログラムであって、
コンピュータを、所要時間が紐づけられたサービス内容の登録を行う内容登録手段と、
サービス提供要素の登録を行う要素登録手段と、
前記サービス内容及び当該サービス内容を提供可能又は提供できないサービス提供要素を紐づける紐付手段と、
顧客から所望のサービス内容について、選択を受け付ける受付手段と、
前記受付手段で受け付けた前記サービス内容に紐づけられた所要時間を用いて、顧客へサービスを提供するまでの待ち時間を算出する算出手段と、
サービス提供者から所定顧客に関するサービス内容の設定及びサービス提供要素の選択を受け付ける選択登録手段と、として機能させ、
振り分け可能なサービス提供要素の一覧を表示してサービス内容及びサービス提供要素の登録を受け付ける画面において、前記選択登録手段を介して新たに選択されたサービス内容に基づいて、一覧表示されたサービス提供要素を、サービス内容が未選択の状態で表示されるサービス提供要素から、サービス内容選択後のサービス提供要素に更新することを特徴とする。
【手続補正書】
【提出日】平成30年3月29日(2018.3.29)
【手続補正１】
【補正対象書類名】特許請求の範囲
【補正対象項目名】請求項１０
【補正方法】変更
【補正の内容】
【請求項１０】
施設における順番待ちを管理する為の順番管理方法であって、
所要時間が紐づけられたサービス内容の登録を行う内容登録手順と、
サービス提供要素の登録を行う要素登録手順と、
前記サービス内容及び当該サービス内容を提供可能又は提供できないサービス提供要素を紐づける紐付手順と、
顧客から所望のサービス内容について、選択を受け付ける受付手順と、
前記受付手順で受け付けた前記サービス内容に紐づけられた所要時間を用いて、顧客へサービスを提供するまでの待ち時間を算出する算出手順と、
サービス提供者から所定顧客に関するサービス内容の設定及びサービス提供要素の選択を受け付ける選択登録手順と、を順番管理サーバの処理部が実行し、
振り分け可能なサービス提供要素の一覧を表示してサービス内容及びサービス提供要素の登録を受け付ける画面において、前記選択登録手順において新たに選択されたサービス内容に基づいて、一覧表示されたサービス提供要素を、サービス内容が未選択の状態で表示されるサービス提供要素から、サービス内容選択後のサービス提供要素に更新することを特徴とする順番管理方法。
【手続補正２】
【補正対象書類名】明細書
【補正対象項目名】００２１
【補正方法】変更
【補正の内容】
【００２１】
本発明は、施設における順番待ちを管理する為の順番管理方法であって、
所要時間が紐づけられたサービス内容の登録を行う内容登録手順と、
サービス提供要素の登録を行う要素登録手順と、
顧客から所望のサービス内容について、選択を受け付ける受付手順と、
前記受付手順で受け付けた前記サービス内容に紐づけられた所要時間を用いて、顧客へサービスを提供するまでの待ち時間を算出する算出手順と、を順番管理サーバの処理部が実行することを特徴とする。